【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
吸収層であって、ここで、前記吸収層は膣液の流れと近接するように構成されるものである、吸収層と、
膣液の少なくとも一つの検体に関するデータを取得するように構成される電気化学的検出システムであって、前記電気化学的検出システムは前記吸収層と流体連結する、電気化学的検出システムと、を含み、
女性用衛生用品と結合するように構成される、膣液監視デバイス。
【請求項２】
前記電気化学的検出システムは、
検体の特性を指し示す信号を生成することができるバイオセンサと、
膣液を前記バイオセンサに向かわせるためのマイクロ流体システムと、
前記バイオセンサによって生成された信号を検出し、処理するための超小型電子回路と、を含むものである、請求項１に記載のデバイス。
【請求項３】
前記電気化学的検出システムからの処理された信号を無線伝送するためのトランシーバをさらに含む、請求項２に記載のデバイス。
【請求項４】
前記電気化学的検出システムは、
前記吸収層と流体連結する、検体の特性を指し示す信号を生成することができるバイオセンサと、
前記バイオセンサによって生成される信号を検出し、処理するための超小型電子回路と、を含むものである、請求項１に記載のデバイス。
【請求項５】
前記吸収層と前記電気化学的検出システムとの間に配置される収集層をさらに含み、
前記収集層は、膣液を前記電気化学的検出システムに向かわせるための、一つ又はそれ以上の流体通路を含む、
請求項１、２又は３に記載のデバイス。
【請求項６】
前記吸収層と前記電気化学的検出システムとの間に配置される液体不浸透層をさらに含み、
前記液体不浸透層は、前記吸収層と流体連結する少なくとも一つの流入口を含む、
請求項１、２又は３に記載のデバイス。
【請求項７】
マイクロ流体システム、バイオセンサ及び超小型電子回路のうちの一つ又はそれ以上は、紙の又はプラスチックの基板上で支持されるものである、請求項５に記載のデバイス。
【請求項８】
前記マイクロ流体システムは、複数のマイクロ流体経路を含むものである、請求項２又は３に記載のデバイス。
【請求項９】
複数のマイクロ流体経路は、膣液を単独のバイオセンサに向かわせるように構成されるものである、請求項８に記載のデバイス。
【請求項１０】
前記バイオセンサは複数のバイオセンサを含み、各マイクロ流体経路は膣液を異なるバイオセンサに向かわせるように構成されるものである、請求項８に記載のデバイス。
【請求項１１】
前記電気化学的検出システムは、複数のサンプルを受け取り、解析するように構成されるものである、請求項１、２又は３に記載のデバイス。
【請求項１２】
前記電気化学的検出システムは、複数のサンプルを連続して処理するように構成されるものである、請求項１、２又は３に記載のデバイス。
【請求項１３】
バイオセンサは、関心の検体と結合すること、又は化学的に相互作用することができる配位子を含むものである、請求項２又は３に記載のデバイス。
【請求項１４】
前記検体は、核酸、抗体若しくは小分子、抗原、細菌、ウィルス、寄生生物、菌、ミネラル、ビタミン、脂質である、請求項１３に記載のデバイス。
【請求項１５】
前記電気化学的検出システムは、バイオセンサと電気通信する電極を含み、前記電極は、電流、インピーダンス又は電圧の変化を検出するように構成されるものである、請求項２又は３に記載のデバイス。
【請求項１６】
デバイスは、前記電気化学的検出システムからストアされ又は伝送されるデータを暗号化するためのコンピュータ可読命令を含むものである、請求項１、２又は３に記載のデバイス。
【請求項１７】
超小型電子回路は開回路で構成され、前記回路は膣液と接触することで閉じるものである、請求項２又は３に記載のデバイス。
【請求項１８】
前記女性用衛生用品は、パッド又はパンティライナである、請求項１、２又は３に記載のデバイス。
【請求項１９】
パッド又はパンティライナは、さらに、前記吸収層を膣液の流れに近接して維持するように構成される配置要素を含むものである、請求項１８に記載のデバイス。
【請求項２０】
超小型電子回路のマイクロプロセッサは、読み取り／書き込み能力を有するものである、請求項２又は３に記載のデバイス。
【請求項２１】
前記マイクロプロセッサは、暗号化、日付を付すこと、バイオセンサの校正、新規検査のプロトコルのためのソフトウェアの更新をすることができるものである、請求項２０に記載のデバイス。
【請求項２２】
請求項１〜２１のいずれか一つに係る膣液監視デバイスを提供することと、
前記吸収層の膣液を収集することと、
前記膣液を前記電気化学的検出システム内に向かわせることと、
前記電気化学的検出システムの前記膣液を電気化学的に分析することと、
情報を遠隔デバイスに無線伝送することと、を含む、膣液中の検体検出のための方法。
【請求項２３】
バイオセンサは、インピーダンス又は電流又は電圧の変化を引き起こすために、関心の検体と結合し、又は化学的に相互作用する配位子を含むものである、請求項２０に記載のデバイス。
【請求項２４】
情報は、無線周波数（ｒｆ）、ブルートゥース（Ｂｌｕｅｔｏｏｔｈ）、ブルートゥースローエナジー（ＢｌｕｅｔｏｏｔｈＬＥ）、ＮＦＣ、ＧＳＭ、ＣＤＭＡ、ｈｔｔｐ、ｈｔｔｐｓ、イーシム（ｅ−ＳＩＭ）又はワイファイ（Ｗｉ−Ｆｉ）によって伝達されるものである、請求項２０に記載のデバイス。
【請求項２５】
前記膣液監視デバイスと遠隔デバイスとの間には、安全なペアリングが存在するものである、請求項２０に記載のデバイス。
【請求項２６】
遠隔デバイスは、クラウド、パーソナルコンピュータ又はスマートフォンである、請求項２０に記載のデバイス。
【請求項２７】
吸収層であって、ここで、前記吸収層は体液の流れと近接するように構成されるものである、吸収層と、
膣液の少なくとも一つの検体に関するデータを取得するように構成される電気化学的検出システムであって、前記電気化学的検出システムは前記吸収層と流体連結する、電気化学的検出システムと、を含む液体監視デバイスであって、
体液監視デバイスは、おむつ又は成人向き失禁製品と結合するように構成される、
液体監視デバイス。
【請求項２８】
前記電気化学的検出システムは、
検体の特性を指し示す信号を生成することができるバイオセンサと、
体液を前記バイオセンサに向かわせるためのマイクロ流体システムと、
前記バイオセンサによって生成される信号を検出して処理するための超小型電子回路と、を含むものである、請求項２７に記載のデバイス。
【請求項２９】
前記電気化学的検出システムからの処理された信号を無線伝送するためのトランシーバをさらに含む、請求項２８に記載のデバイス。
【請求項３０】
前記電気化学的検出システムは、前記吸収層と流体連結する、検体の特性を指し示す信号を生成することができるバイオセンサと、前記バイオセンサによって生成される信号を検出して処理するための超小型電子回路と、を含むものである、請求項２７に記載のデバイス。
【請求項３１】
前記吸収層と前記電気化学的検出システムとの間に配置される収集層をさらに含み、
前記収集層は、体液を前記電気化学的検出システムに向かわせるための、一つ又はそれ以上の流体通路を含む、請求項２７に記載のデバイス。
【請求項３２】
前記吸収層と前記電気化学的検出システムとの間に配置される液体不浸透層をさらに含み、前記液体不浸透層は前記吸収層と流体連結する少なくとも一つの流入口を含む、請求項２７に記載のデバイス。
【請求項３３】
マイクロ流体システム、バイオセンサ及び超小型電子回路のうちの一つ又はそれ以上は、紙の又はプラスチックの基板上に支持されるものである、請求項３２に記載のデバイス。
【請求項３４】
マイクロ流体システムは、複数のマイクロ流体経路を含むものである、請求項２８に記載のデバイス。
【請求項３５】
前記複数のマイクロ流体経路は、体液を単独のバイオセンサに向かわせるように構成されるものである、請求項３４に記載のデバイス。
【請求項３６】
バイオセンサは、複数のバイオセンサを含み、各マイクロ流体経路は、体液を異なるバイオセンサに向かわせるように構成されるものである、請求項３４に記載のデバイス。
【請求項３７】
前記電気化学的検出システムは、複数のサンプルを受け取り、分析するように構成されるものである、請求項２７に記載のデバイス。
【請求項３８】
前記電気化学的検出システムは、複数のサンプルを連続して処理するように構成されるものである、請求項２７に記載のデバイス。
【請求項３９】
バイオセンサは、関心の検体と結合し、又は化学的に相互作用することができる配位子を含むものである、請求項２８に記載のデバイス。
【請求項４０】
前記検体は、核酸、抗体又は小分子である、請求項３９に記載のデバイス。
【請求項４１】
前記電気化学的検出システムは、バイオセンサと電気通信する電極を含み、前記電極は、電流、インピーダンス又は電圧の変化を検出するように構成されるものである、請求項２８に記載のデバイス。
【請求項４２】
デバイスは、前記電気化学的検出システムからストアされ又は伝送されるデータを暗号化するためのコンピュータ可読命令を含むものである、請求項２７に記載のデバイス。
【請求項４３】
超小型電子回路は開回路で構成され、前記回路は体液と接触することで閉じるものである、請求項２８に記載のデバイス。
【請求項４４】
おむつ又は成人向き失禁製品は、さらに、前記吸収層を体液の流れに近接して維持するように構成される配置要素を含むものである、請求項４２に記載のデバイス。
【請求項４５】
請求項１〜１９のいずれか一つに記載の膣液監視デバイスを含み、前記デバイスは、
不活性状態のバッテリと、
前記デバイスを包み込む梱包材料と、
前記梱包材料を開封するとすぐに、又は前記梱包材料からのデバイスの除去によって、バッテリを作動するようにバッテリに連結されたスイッチと、を含む、キット。
【請求項４６】
請求項２７〜４４のいずれか一つに記載の液体監視デバイスを含み、前記デバイスは、
不活性状態のバッテリと、
前記デバイスを包み込む梱包材料と、
前記梱包材料を開封するとすぐに、又は前記梱包材料からのデバイスの除去によって、バッテリを作動するようにバッテリに連結されたスイッチと、を含む、キット。
【請求項４７】
マイクロプロセッサは、遠隔デバイスへの検査結果の伝送が完了するときに、液体監視デバイスを無効にするための機械可読命令を含むものである、請求項２又は３に記載のデバイス。